(57)【要約】      （修正有）【課題】植物を栽培する目的や用途に応じて構成を変更でき、対応して使用することができる植物栽培プランターを提供する。【解決手段】植物栽培プランター１０は、インナーポット１２と、インナーポットを収容するインナーポットケース１４と、から構成されている。インナーポットは、逆四角錐台状に形成されている。インナーポットの側面上端部１２Ａにはインナーポットを吊り下げるための折返し係止片２０がカールして下方に向かって拡径しながら一体形成されている。折返し係止片とインナーポットの上端部の間には係止空隙部２２が形成されている。インナーポットケース１４は立方体形状に形成され、内部にはインナーポットを収容するポット収容部が形成されている。【選択図】図１
0003213867.tif 000002
【実用新案登録請求の範囲】
【請求項１】
逆錐台状に形成されたインナーポットと、このインナーポットを吊り下げた状態で収容できると共に前記インナーポットの高さ寸法より高さ寸法が長いインナーポットケースと、から構成されたプランターであって、
前記インナーポットの内部に形成されたインナーポット凹部と、前記インナーポットの側面に形成されたポット傾斜側面部と、前記インナーポットケースの内部に形成されると共にインナーポットを上方から収容できるインナーポット収容部と、前記インナーポットケースに形成されると共に前記インナーポットの側面部と当接するインナーポットケース上端縁部と、を有してなることを特徴とする植物栽培プランター。
【請求項２】
逆錐台状に形成されたインナーポットと、このインナーポットを吊り下げた状態で収容できると共に前記インナーポットの高さ寸法より高さ寸法が長いインナーポットケースと、から構成されたプランターであって、
前記インナーポットの内部に形成されたインナーポット凹部と、前記インナーポットの側面に形成されたポット傾斜側面部と、このポット傾斜側面部に上下方向に向かって形成された複数の縦長凹状溝と、前記インナーポットの上端部に拡径して形成された係止片と、この係止片とインナーポットの側面上端部との間に形成された係止空隙部と、前記インナーポットの底面部に形成された排水部と、前記インナーポットケースの内部に形成されると共にインナーポットを上方から収容できるインナーポット収容部と、前記インナーポットケースに形成されると共に前記係止空隙部に挿入可能なインナーポットケース上端縁部と、を有してなることを特徴とする植物栽培プランター。
【請求項３】
筒状防水体に前記インナーポットケースを挿入し、前記筒状防水体の上端部と下端部をインナーポットケースの内側に折り曲げたことを特徴とする請求項１、請求項２のいずれか１項記載の植物栽培プランター。
【請求項４】
前記インナーポットと前記インナーポットケースとの間に形成された空洞部と、この空隙部に設けられた照明装置と、を設けたことを特徴とする請求項１、請求項２、請求項３のいずれか１項記載の植物栽培プランター。
【請求項５】
前記インナーポットケースの側面部にデザイン形成部を形成したことを特徴とする請求項１、請求項２、請求項３、請求項４のいずれか１項記載の植物栽培プランター。
【請求項６】
前記インナーポットを逆四角錐台状に形成すると共に前記インナーポットケースを四角筒状に形成したことを特徴とする請求項１、請求項２、請求項３、請求項４、請求項５のいずれか１項記載の植物栽培プランター。
【考案の詳細な説明】
【技術分野】
【０００１】
本考案は、苺等の果物、野菜、草花等の各種植物を栽培するプランターに関し、詳しくは植物を栽培する目的や用途に応じて容易に対応して使用することができる植物栽培プランターに関する。
【背景技術】
【０００２】
苺等の果物、野菜、草花等の植物を植えて、前記植物を栽培するプランターが以前から広く知られている（例えば、特許文献１）。
しかし、従来のプランターは、植物を栽培する目的や用途等に応じてその構成を変更することは困難である。
【先行技術文献】
【特許文献】
【０００３】
【特許文献１】実用新案登録第３１３３５１２号
【考案の概要】
【考案が解決しようとする課題】
【０００４】
このため、農家等の植物生産者が植物を栽培する場合に使用するプランターも一般消費者が植物を家庭等で栽培、観賞する場合に使用するプランターも基本的に同一構造であり、植物を栽培する目的や用途に対応して使用することは困難である。
【課題を解決するための手段】
【０００５】
本考案は、上記の如き実情に鑑みこれらの課題を解決することを目的として創作されたものであり、植物を栽培する目的や用途等に応じて簡単に変更することができる植物栽培プランターを提供することを目的としている。
【０００６】
請求項１の考案は、逆錐台状に形成されたインナーポットと、このインナーポットを吊り下げた状態で収容できると共に前記インナーポットの高さ寸法より高さ寸法が長いインナーポットケースと、から構成されたプランターであって、
前記インナーポットの内部に形成されたインナーポット凹部と、前記インナーポットの側面に形成されたポット傾斜側面部と、前記インナーポットケースの内部に形成されると共にインナーポットを上方から収容できるインナーポット収容部と、前記インナーポットケースに形成されると共に前記インナーポットの側面部と当接するインナーポットケース上端縁部と、を有してなることを特徴としている。
請求項２の考案は、逆錐台状に形成されたインナーポットと、このインナーポットを吊り下げた状態で収容できると共に前記インナーポットの高さ寸法より高さ寸法が長いインナーポットケースと、から構成されたプランターであって、
前記インナーポットの内部に形成されたインナーポット凹部と、前記インナーポットの側面に形成されたポット傾斜側面部と、このポット傾斜側面部に上下方向に向かって形成された複数の縦長凹状溝と、前記インナーポットの上端部に拡径して形成された係止片と、この係止片とインナーポットの側面上端部との間に形成された係止空隙部と、前記インナーポットの底面部に形成された排水部と、前記インナーポットケースの内部に形成されると共にインナーポットを上方から収容できるインナーポット収容部と、前記インナーポットケースに形成されると共に前記係止空隙部に挿入可能なインナーポットケース上端縁部と、を有してなることを特徴としている。
請求項３の考案は、筒状防水体に前記インナーポットケースを挿入し、前記筒状防水体の上端部と下端部をインナーポットケースの内側に折り曲げたことを特徴としている。
請求項４の考案は、前記インナーポットと前記インナーポットケースとの間に形成された空洞部と、この空隙部に設けられた照明装置と、を設けたことを特徴としている。
請求項５の考案は、前記インナーポットケースの側面部にデザイン形成部を形成したことを特徴としている。
請求項６の考案は、前記インナーポットを逆四角錐台状に形成すると共に前記インナーポットケースを四角筒状に形成したことを特徴としている。
【考案の効果】
【０００７】
本考案は、インナーポットをインナーポットケースの上方から挿入したり持ち上げたりすることによりインナーポットとインナーポットケースを組み合わせたり分離したりすることができるので、植物を栽培する目的や用途等に応じて構成を変更することができるという優れた効果を有する。
本考案は、インナーポットは吊り下げられた状態で保持されるので、インナーポットの底部を複雑な形状等にしたりしてもインナーポットは安定して保持されるという優れた効果を有する。
本考案は、インナーポットとインナーポットケースとの間に空隙部が設けられているので、外気の温度がストレートにインナーポットに植えられた植物に影響を与えることを防止できるという優れた効果を有する。
請求項２の考案は、上記優れた効果の他にインナーポットのポット傾斜側面部に複数の縦長凹状溝を形成したので、インナーポットの強度強化を図ることができるという優れた効果を有する。
請求項３の考案は、上記優れた効果の他に防水機能を備えることができるという優れた効果を有する。
請求項４の考案は、上記優れた効果の他に照明装置や照明インテリアとしても使用することができるという優れた効果を有する。
請求項５の考案は、上記優れた効果の他にデザイン性に優れインテリア性を向上できるという優れた効果を有する。
【図面の簡単な説明】
【０００８】
【図１】第１実施例の植物栽培プランターの一部縦断面図である。
【図２】第１実施例の植物栽培プランターのインナーポットの正面図及びパイプキャップの縦断面図である。
【図３】第１実施例の植物栽培プランターのインナーポットの平面図である。
【図４】第１実施例の植物栽培プランターのインナーポットケースの斜視図である。
【図５】第１実施例の植物栽培プランターのインナーポットケースをビニール角筒体に挿入した状態の斜視図である。
【図６】第１実施例の植物栽培プランターのインナーポットケースにビニール角筒体を装着した状態の一部縦断面図である。
【図７】第２実施例の植物栽培プランターの概略縦断面図である。
【図８】第２実施例の植物栽培プランターのインナーポットケースの斜視図である。
【図９】第２実施例の植物栽培プランターの他のインナーポットケースの斜視図である。る。
【図１０】第３実施例の植物栽培プランターの正面図である。
【考案を実施するための形態】
【０００９】
考案を実施するために最良の形態の例として以下のような実施例を示す。
【実施例１】
【００１０】
図１〜図６には植物栽培プランターの第１実施例が示されている。なお、実施例では植物栽培プランターで植物としての苺を栽培する場合を例にして説明する。
【００１１】
図１に示されるように、第１実施例の植物栽培プランター１０は、インナーポット１２と、このインナーポット１２を収容するインナーポットケース１４と、から構成されている。
【００１２】
前記インナーポット１２の高さ寸法Ｈ１は、前記インナーポットケース１４の高さ寸法Ｈ２よりも短く設定されている。
【００１３】
この実施例では前記インナーポット１２は合成樹脂材としての薄い透明のポリエチレンテレフタラート（ＰＥＴ）で一体形成されている。また、前記インナーポットケース１４は段ボール紙で形成されている。
【００１４】
図２及び図３に示されるように、前記インナーポット１２は、逆錐台状の一形態である逆四角錐台状に形成され、インナーポット１２の内部には土や肥料等を入れたり苺を植えたりする逆四角錐台状のインナーポット凹部１６が形成されている。
【００１５】
前記インナーポット１２の側面にはポット傾斜側面部としての第１傾斜側面部１８Ａ，第２傾斜側面部１８Ｂ，第３傾斜側面部１８Ｃ，第４傾斜側面部１８Ｄが一体形成されている。また、インナーポット１２の底面には底面部１８Ｅが形成されている。
【００１６】
図２に示されるように、前記インナーポット１２の側面上端部１２Ａには係止片としての折返し係止片２０がカールして下方に向かって拡径しながら一体形成されている。この折返し係止片２０は図３に示されるように平面視正方形状に形成されている。
【００１７】
この折返し係止片部２０とインナーポット１２の側面上端部１２Ａの間には係止空隙部２２が形成されている。
【００１８】
図２及び図３に示されるように、前記第１傾斜側面部１８Ａ，第２傾斜側面部１８Ｂ，第３傾斜側面部１８Ｃ，第４傾斜側面部１８Ｄにはそれぞれインナーポット１２の上下方向に向かって縦長凹状溝２４が形成されている。
【００１９】
この縦長凹状溝２４は前記第１傾斜側面部１８Ａ，第２傾斜側面部１８Ｂ，第３傾斜側面部１８Ｃ，第４傾斜側面部１８Ｄに６個づつ形成されている。
【００２０】
前記インナーポット１２の第１傾斜側面部１８Ａ，第２傾斜側面部１８Ｂ，第３傾斜側面部１８Ｃ，第４傾斜側面部１８Ｄに縦長凹状溝２４を形成することにより、第１傾斜側面部１８Ａ，第２傾斜側面部１８Ｂ，第３傾斜側面部１８Ｃ，第４傾斜側面部１８Ｄの外側面には溝部２４Ａが６個づつ形成され、第１傾斜側面部１８Ａ，第２傾斜側面部１８Ｂ，第３傾斜側面部１８Ｃ，第４傾斜側面部１８Ｄの内側面には凸部２４Ｂが６個づつ形成されている。
【００２１】
なお、前記インナーポット１２に縦長凹状溝２４を複数形成することにより、インナーポット１２のインナーポット凹部１６に植えられた苺の根はインナーポット１２に絡みつく状態となり苺を安定して栽培することができると共にインナーポット１２の強度を強くすることができる。
【００２２】
図２に示されるように、前記インナーポット１２の底面部１８Ｅの中央部には下方に向かって排水パイプ部２８が突出して一体形成されている。この排水パイプ部２６と前記インナーポット凹部１６は連通されている。
【００２３】
前記排水パイプ部２６を設けることによりインナーポット凹部１６内の余分な水をインナーポット１２の外に排水できるようになっている。
なお、前記排水パイプ部２６にはパイプキャップ２８が着脱可能に取り付けられるようになっている。
従って、植物栽培プランター１０の使用者は、必要に応じてパイプキャップ２８を排水パイプ部２６に取り付けたり取り外したりして植物栽培プランター１０を使用できるようになっている。
【００２４】
図４に示されるように、前記インナーポットケース１４は平面視正方形状で縦長の立方体形状に形成されている。
このインナーポットケース１４の内部には前記インナーポット１２を収容するポット収容部３０が形成されている。
【００２５】
前記インナーポットケース１４の側面には垂直状の第１側面部３２Ａ，第２側面部３２Ｂ，第３側面部３２Ｃ，第４側面部３２Ｄが形成されている。
【００２６】
図１に示されるように、前記インナーポットケース１４の底面にはインナーポットケース１４の底面開口部３４を塞いだり開けたりすることができる底面蓋部３６が設けられている。
【００２７】
図４に示されるように、前記インナーポットケース１４の上端にはインナーポットケース上端縁部１４Ａが形成されている。
前記ポット収容部３０の横方向寸法Ｗ１は前記インナーポット１２の側面上端部１２Ａの横方向寸法Ｗ２（図２参照）よりも小さく形成されている。
【００２８】
従って、図１に示されるように、前記インナーポット１２を前記インナーポットケース１４のポット収容部３０に収容するとインナーポットケース上端縁部１４Ａは係止空隙部２２に挿入して前記インナーポット１２の側面上端部１２Ａがインナーポットケース上端縁部１４Ａと当接し、インナーポット１２を吊り下げた状態で保持する。
しかも、インナーポット１２には上端部１２Ａよりも拡径した折返し係止片２０が形成されているので、インナーポット１２は確実にインナーポットケース１４に保持されるようになっている。
【００２９】
図１に示されるように、前記インナーポット１２を前記インナーポットケース１４のポット収容部３０に収容するとインナーポット１２とインナーポットケース１４の間には空隙部３８が形成されるようになっている。
【００３０】
なお、前記植物栽培プランター１０のインナーポット１２は、インナーポットケース１４に吊り下げられた状態で保持されるので、インナーポット１２の底面部１８Ｅの形状を複雑な形状にたり、排水パイプ部２６を設けたりしてもインナーポット１２は底面部１８Ｅの形状や排水パイプ部２６の有無に関係なくインナーポットケース１４が保持される。
【００３１】
次に、第１実施例の植物栽培プランター１０の作用を説明する。
【００３２】
植物栽培プランター１０を使用する場合は、インナーポット１２をインナーポットケース１４のポット収容部３０に収容する。
インナーポット１２の上端部１２Ａは、インナーポットケース１４の上端縁部１４Ａと当接しインナーポット１２はインナーポットケース１４に吊り下げられた状態で保持される。
【００３３】
前記インナーポット１２のインナーポット凹部１６に土と肥料等を入れて苺を植える。
インナーポット１２に植えられた苺の根が伸びると根はインナーポット１２の第１傾斜側面部１８Ａ，第２傾斜側面部１８Ｂ，第３傾斜側面部１８Ｃ，第４傾斜側面部１８Ｄに当たるが、前記第１傾斜側面部１８Ａ，第２傾斜側面部１８Ｂ，第３傾斜側面部１８Ｃ，第４傾斜側面部１８Ｄには縦長凹状溝２４の凸部２４Ｂが複数形成されているので苺の根はインナーポット１２に絡みつく状態となり苺を安定して栽培することができる。
【００３４】
また、前記インナーポット１２とインナーポットケース１４の間には空隙部３８が形成されているので、空隙部３８を設けたことにより植物栽培プランター１０の内部には複層構造が生じる。
この結果、植物栽培プランター１０の内部は外気の温度の影響を受けにくくなりインナーポット１２のインナーポット凹部１６には外気がストレートに伝わらないので、安定した培地の環境を保つことができ、苺の栽培に有効となる。
【００３５】
生産者が植物栽培プランター１０で栽培されている苺を一般家庭に栽培、観賞用として販売する場合は、苺が植えられているインナーポット１２を上方に持ち上げるだけの簡単な作業でインナーポットケース１４からインナーポット１２を取り出すことができる。この時、折返し係止片２０は拡径して形成されているので作業者は折返し係止片２０に指先を係止でき、容易にインナーポット１２を持ち上げることができる。
【００３６】
そして、前記インナーポット１２を予め用意してある未使用のインナーポットケース１４のポット収容部３０に収容する。
これにより、生産者は、生産栽培段階で汚れたり傷ついたりしたインナーポットケース１４に替えて汚れていない綺麗なインナーポットケース１４に交換することができるので、生産者は苺が植えられた植物栽培プランター１０を栽培用、観賞用として一般消費者に販売することができる。
【００３７】
従って、一般消費者は、綺麗な植物栽培プランター１０で苺を栽培したり観賞したりすることができる。
【００３８】
従って、実施例の植物栽培プランター１０は、苺が植えられているインナーポット１２を上方に持ち上げてインナーポットケース１４からインナーポット１２を取り出し、新品のインナーポットケース１４のポット収容部３０にインナーポット１２を収容するだけの極めて簡単な作業で迅速に一般消費者販売用の植物栽培プランター１０に変更できる。
【００３９】
なお、前記インナーポットケース１４は段ボール製なのでインナーポットケース１４に防水機能を持たせたい場合は図５に示すように底面蓋部３６を取り外したり、あるいはインナーポットケース１４のポット収容部３０の内側に折り曲げたりしてインナーポットケース１４を別途に用意した筒状防水体としてのビニールシートで角筒状に形成されたビニール角筒体４０に挿入する。
【００４０】
そして、ビニール角筒体４０の上端部４０Ａと下端部４０Ｂを図５矢印方向に示すようにインナーポットケース１４の内側に折り曲げてビニール角筒体４０をインナーポットケース１４に密着状態で装着する。
これにより、図６に示されるように前記インナーポットケース１４は、ビニール角筒体４０によって覆われて防水される。
従って、苺の栽培時に水を撒いても水が直接インナーポットケース１４にかかることはないので段ボール製のインナーポットケース１４の強度が低下するのを防止できる。
【００４１】
図７及び図８には植物栽培プランターの第２実施例が示されている。なお、第１実施例の植物栽培プランター１０と同一の構成は同一の符号を用いてその説明を省略する。
【００４２】
図７に示されるように、第２実施例の植物栽培プランター５０の空隙部３８には照明装置としてのＬＥＤランプ５２が配設されている。
【００４３】
図８に示されるように、第２実施例の植物栽培プランター５０のインナーポットケース５４の第１側面部５６Ａ，第２側面部５６Ｂ，第３側面部５６Ｃ，第４側面部５６Ｄには木の葉や花等のデザインを模ったデザイン形成部としてのデザイン開口部５８が開口形成されている。
従って、前記ＬＥＤランプ５２を点灯すると光はデザイン開口部５８を介して植物栽培プランター５０から漏れるので間接照明等の照明とし使用したり、照明インテリアとして使用したりすることができる。
【００４４】
また、植物栽培プランター５０は、プランターだけでなく照明インテリアとしても使用することができる。
【００４５】
なお、他の構成及び他の作用は第１実施例の植物栽培プランター１０と同一であるので、その説明は省略する。
【００４６】
また、前記植物栽培プランター５０のインナーポットケース５４の第１側面部５６Ａ，第２側面部５６Ｂ，第３側面部５６Ｃ，第４側面部５６Ｄに形成する木の葉や花等のデザインを模ったデザイン形成部は前記デザイン開口部５８に限定されるものではなく、例えば図９に示されるように第１側面部５６Ａ，第２側面部５６Ｂ，第３側面部５６Ｃ，第４側面部５６Ｄに木の葉や花等のデザインを模って第１側面部５６Ａ，第２側面部５６Ｂ，第３側面部５６Ｃ，第４側面部５６Ｄをプレスしてプレス部分の肉厚を薄くしたデザイン押し型部６０でもよい。
【００４７】
前記ＬＥＤランプ５２を点灯すると光はデザイン押し型部６０を透かしてインナーポットケース５４から漏れるので、間接照明等の照明として使用したり、あるいは照明インテリアとして使用することができる。
【００４８】
なお、実施例ではインナーポットケース５４の第１側面部５６Ａ，第２側面部５６Ｂ，第３側面部５６Ｃ，第４側面部５６Ｄの全てにデザイン開口部５８やデザイン押し型部６０を形成したが、デザイン開口部５８やデザイン押し型部６０はインナーポットケース５４の第１側面部５６Ａ，第２側面部５６Ｂ，第３側面部５６Ｃ，第４側面部５６Ｄの一部のみに形成してもいいことは勿論である。
【００４９】
図１０には植物栽培プランターの第３実施例が示されている。なお、第１実施例の植物栽培プランター１０と同一の構成は同一の符号を用いてその説明を省略する。
第３実施例の植物栽培プランター７０は、インナーポット１２と、このインナーポット１２を収容するインナーポットケース７２と、から構成されている。
【００５０】
このインナーポットケース７２は平面視矩形枠状のホールド部７４とホールド部７４を支持する複数のスタンド部７６と、から構成されている。
【００５１】
前記ホールド部７４には前記インナーポット１２を挿入できるインナーポット収容部７８が形成されている。このインナーポット収容部７８にインナーポット１２を挿入するとホールド部７４の上端縁部７４Ａはインナーポット１２の側面上端部１２Ａと当接するようになっている。
【００５２】
この結果、前記インナーポットケース７２は前記インナーポット１２を吊り下げることができるようになっている。
この植物栽培プランター７０は第１実施例の植物栽培プランター１０、第２実施例の植物栽培プランター５０よりも構成がシンプルであるので、設置する場所が小さいスペースでも済む。
【００５３】
なお、他の構成及び作用は第１実施例の植物栽培プランター１０と同一であるのでその説明は省略する。
【００５４】
なお、実施例ではインナーポット１２の形状を逆四角錐台状に形成したが、インナーポット１２は逆錐台状であれば逆四角錐台状に限定されるものでないことは勿論である。
【００５５】
また、前記インナーポット１２を逆錐台状の一形態である逆円錐台状に形成してもよい。この場合は前記インナーポットケース１４を円筒形状に形成することにより、インナーポット１２を吊り下げた状態で円筒形状のインナーポットケース１４に収容することができる。
【００５６】
また、実施例ではインナーポット１２の第１傾斜側面部１８Ａ，第２傾斜側面部１８Ｂ，第３傾斜側面部１８Ｃ，第４傾斜側面部１８Ｄに６本の縦長凹状溝２４を形成したが、縦長凹状溝２４の形状や数は実施例の形状や数に限定されるものでなく、他の形状の縦長凹状溝でもよいことは勿論である。
【００５７】
なお、実施例ではインナーポットケース１４の底面に底面蓋部３６を設けた場合を示したが、底面蓋部３６は必ずしもインナーポットケース１４に設けなくてもよい。
前記インナーポットケース１４に底面蓋部３６を設けないとインナーポットケース１４の空隙部３８にＬＥＤランプ５２や排水処理装置（図示せず）等を配設する作業をより簡単に行うことができる。
【００５８】
なお、実施例ではインナーポット１２をポリエチレンテレフタラート（ＰＥＴ）で形成したが、必ずしもＰＥＴに限定されるものでなく他の合成樹脂材で形成してもよいことは勿論である。
【００５９】
また、前記インナーポットケース１４にラミネート加工や防水加工を施して防水性等を強化してもよいことは勿論である。
なお、実施例ではインナーポットケース１４を段ボール紙で形成したが、必ずしも段ボール紙に限定されるものでなく、段ボール紙以外の厚紙、プラスチックス等の合成樹脂材等で形成してもよいことは勿論である。
【符号の説明】
【００６０】
１０    植物栽培プランター
１２    インナーポット
１２Ａ  側面上端部
１４    インナーポットケース
１４Ａ  インナーポットケース上端縁部
１６    インナーポット凹部
１８Ａ  第１傾斜側面部
１８Ｂ  第２傾斜側面部
１８Ｃ  第３傾斜側面部
１８Ｄ  第４傾斜側面部
２０    折返し係止片
２２    係止空隙部
２４    縦長凹状溝部
２４Ａ  溝部
２４Ｂ  凸部
２６    排水パイプ部
２８    パイプキャップ
３０    ポット収容部
３２Ａ  第１側面部
３２Ｂ  第２側面部
３２Ｃ  第３側面部
３２Ｄ  第４側面部
３４    底面開口部
３６    底面蓋部
３８    空隙部
【図１】
0003213867.tif 000003
【図２】
0003213867.tif 000004
【図３】
0003213867.tif 000005
【図４】
0003213867.tif 000006
【図５】
0003213867.tif 000007
【図６】
0003213867.tif 000008
【図７】
0003213867.tif 000009
【図８】
0003213867.tif 000010
【図９】
0003213867.tif 000011
【図１０】
0003213867.tif 000012